(57)【要約】      （修正有）【課題】汎用のシート状不織布研磨材を無加工でそのまま使用することができて、使用中に不織布研磨材がずれたり外れたりすることが無く、そして誰でもが簡単に脱着できる不織布研磨材保持具を提供する。【解決手段】弾性と伸縮性を有するシート状の不織布研磨材を基板下面に脱着自在に装着し、その装着された不織布研磨材を被研磨物に押しつけて研磨する不織布研磨材保持具において、基板上面方向に突起した爪を具備した保持部材がその爪先端と基板上面との間に不織布研磨材が抜き差ししやすいような間隙を設けて基板の上面前後に設置されており、不織布研磨材を装着する際にはその前後端を基板の両側縁に沿ってそれぞれ上方に折り返し、前後端部をその間隙に差し込むと不織布研磨材の元に戻ろうとする弾性作用によって自ら爪先端に食い込み保持されるが片側の保持部材のみ保持部材の端部に設けられた軸を中心に回転し、不織布研磨材を脱着しやすいように開閉する機構になっている。【選択図】図３
0003103431.tif 000002
【実用新案登録請求の範囲】
【請求項１】
弾性と伸縮性を有するシート状の不織布研磨材を基板下面に脱着自在に装着し、その装着された不織布研磨材を被研磨物に押しつけて研磨する不織布研磨材保持具において、基板上面方向に突起した爪を具備した保持部材がその爪先端と基板上面との間に不織布研磨材が抜き差ししやすいような間隙を設けて基板の上面前後に設置されており、不織布研磨材を装着する際にはその前後端を基板の両側縁に沿ってそれぞれ上方に折り返し、前後端部をその間隙に差し込むと不織布研磨材の元に戻ろうとする弾性作用によって自ら爪先端に食い込み保持されるが片側の保持部材のみ保持部材の端部に設けられた軸を中心に回転し、不織布研磨材を脱着しやすいように開閉する機構になっている不織布研磨材保持具。
【考案の詳細な説明】
【技術分野】
【０００１】
本考案は金属、木材、樹脂、塗装表面等を研磨したり錆び落としをするシート状の不織布研磨材の保持具に関するものである。
【背景技術】
【０００２】
シート状の不織布研磨材を脱着出来るように装着している研磨具は開発されており下記の公報に記載される。
特開２００３−３９３３６
特開１９９７−１０９０３６
公報特開２００３−３９３３６に記載される研磨具は固定台２の下面に装着している左右両側に引っ掛け穴３を設けた不織布研磨材１の両側縁を固定台２の両側縁に沿って上面に折り返して固定台２の上面の両側に具備された引っ掛け突起４にその引っ掛け穴３を引っ掛け脱着できるように連結している。
公報特開１９９７−１０９０３６に記載される研磨具は基板プレート２１の両側縁を上方に折り曲げして垂直壁２２を設け、さらに垂直壁２２には下縁に沿って連結スリット２４が設けられており、この連結スリット２４に不織布研磨材２０の両端部を折り返してその折り曲げ端部を挿入して脱着自在に装着できるように構成されている。
【考案の開示】
【考案が解決しようとする課題】
【０００３】
公報特開２００３−３９３３６に記載される図１の研磨具はシート状の不織布研磨材の左右両側にいくつかの引っ掛け穴３を設けなければならず、不織布研磨材の製造工程が増え、汎用の不織布研磨材を無加工でそのまま使用することが出来ないという欠点がある。
公報特開１９９７−１０９０３６に記載される図２の研磨具は基板プレート２１の両側縁を上方に折り曲げして垂直壁２２を設け、その垂直壁２２に下縁に沿って連結スリット２４が設けられているがこの連結スリット２４にシート状の不織布研磨材の両端部を折り返してその折り曲げ端部を挿入しているだけなので不織布研磨材をしっかり保持出来ず使用中にしだいにずれたり外れたりしてくるという欠点がある。
【０００４】
本考案の不織布研磨材保持具は、以上の研磨具が有する欠点を解決することを目的に開発されたもので、本考案の重要な目的は汎用のシート状の不織布研磨材を無加工でそのまま使用することができ、使用中に不織布研磨材がずれたり外れたりすることが無く、誰でもが簡単に不織布研磨材を脱着できる不織布研磨材保持具を提供することである。
【考案の効果】
【０００５】
本考案の不織布研磨材保持具は突起した爪を具備した保持部材の爪先端にシート状の不織布研磨材を食い込ませることによって保持するので汎用の不織布研磨材を無加工でそのまま装着し保持することができる。
【０００６】
本考案の不織布研磨材保持具は、基板上面方向に突起した爪を具備した保持部材がその爪先端と基板上面との間に不織布研磨材が抜き差ししやすいような間隙を設けて基板の上面前後に設置されており、不織布研磨材を装着する際にはその前後端を基板の両側縁に沿ってそれぞれ上方に折り返し、端部を間隙に差し込むと不織布研磨材の元に戻ろうとする弾性作用によって自ら爪先端に食い込み保持されるので使用中にずれたり外れたりすることが無い。
【０００７】
本考案の不織布研磨材保持具は、シート状の不織布研磨材を保持するための保持部材が基板上面の前後に設置されているが片側の保持部材のみ端部に設けられた軸を中心に回転する開閉式になっているため不織布研磨材を容易に速やかに脱着できる特徴がある。さらに構造が簡単なため製作コストを低減できる特徴がある。
【考案を実施するための最良の形態】
【０００８】
以下、本考案の実施例を図面に基づいて説明するが以下に示す実施例は、本考案の技術思想を具体化するための不織布研磨材保持具を例示するものであって、本考案は不織布研磨材保持具を下記のものに特定しない。
【実施例１】
【０００９】
以下、本考案の実施の形態を実施例にもとづき図面を参照して説明する。
図３、図４は本考案に関わる不織布研磨材保持具の実施例を説明するものであってこのうち図３は、要部を説明する斜視図、図４は側面図である。
【００１０】
図３および図４に示す不織布研磨材保持具は被研磨物の表面を磨くシート状の不織布研磨材２とこの不織布研磨材２を下面に脱着自在に装着して不織布研磨材２を被研磨物に押圧して研磨する基板１を備える。
【００１１】
不織布研磨材２は手で折り曲げられる弾性と伸縮性を有する厚みが１０ミリ程度のシート状で、繊維の表面にバインダーで研磨粒を付着したものである。
【００１２】
基板１の上面中央部には柄支持部品１０が柄１２の端部を左右から挟む形で設置されており、柄１２とは回転軸１１を介して連結されているので柄１２は回転軸１１を中心として回転自在である。柄１２は人が立った状態で本考案の不織布研磨材保持具を前後方向に動かして使用する場合に適した長さに設定されている。
【００１３】
不織布研磨材２を装着する場合は前後両端を基板１の両側縁に沿って上方に折り返し、前後端部を間隙１３の間に差し込む。基板１の上面と保持部材３および可動式保持部材５にそれぞれ具備された数本の爪４の先端との間隙１３はシート状の不織布研磨材２の厚さより少し大きく設定し前後端部を抵抗無く差し込むことができるが差し込んだ後は折り返した不織布研磨材２の元に戻ろうとする弾性作用によって自ら爪４の先端に食い込みずれたり外れたりしないよう保持される。
【００１４】
保持部材３は数本の爪４を具備し、基板１の片側上面において、シート状の不織布研磨材２の端部を基板１の片側縁に沿って上方に折り返し差し込んで固定できる位置に設置される。また、基板１の片側上面に設置された保持部材３の反対側には固定部材７が設置されておりこの固定部材７の片側端部に可動式保持部材５が軸８を介して回転自在に取り付けられている。この可動式保持部材５にも保持部材３と同様に不織布研磨材２を保持するための数本の爪４が具備されている。また可動式保持部材５の端部に設けられた軸８の反対側端部に可動式保持部材５を固定するための蝶ネジ６が具備されており可動式保持部材５が閉じた状態ではこの蝶ネジ６が固定部材７に設けられた切欠９に挿入されている。この時、蝶ネジ６を締めることによって可動式保持部材５が開かないように固定され端部を差し込まれた不織布研磨材２が爪４によってしっかりと保持される。装着された不織布研磨材２を取り外す際には蝶ネジ６を緩め、可動式保持部材５を軸８を回転中心として上方に開くことによって不織布研磨材２に食い込んでいた爪４の先端が離れ取り外し可能となる。
【図面の簡単な説明】
【００１５】
【図１】従来の研磨具の一例を示す斜視図
【図２】従来の研磨具の他の一例を示す斜視図
【図３】本考案の要部を説明する斜視図
【図４】本考案における不織布研磨材保持具の側面図
【符号の説明】
【００１６】
１．基板  
２．不織布研磨材
３．保持部材    
４．爪
５．可動式保持部材
６．蝶ネジ
７．固定部材  
８．軸
９．切欠
１０．柄支持部品
１１．回転軸
１２．柄
１３．間隙
【図１】
0003103431.tif 000003
【図２】
0003103431.tif 000004
【図３】
0003103431.tif 000005
【図４】
0003103431.tif 000006